(57)【要約】【課題】この発明は、グリッド天井やシステム天井等のＴバー１に隣り合う２つの照明器具２を取付部材４が干渉することなく取り付け可能とするとともに、ねじ止め固定等することなく容易に取り付け可能とすることを目的とする。【解決手段】照明器具２は、器具本体の第１面側の外側に設けられ、Ｔバー１に取り付けられる第１凸部５−１を有する第１取付部材４−１と、器具本体の第１面と対向する第２面側の外側に設けられ、Ｔバー１に取り付けられる少なくとも２つの第２凸部５−２と、２つの第２凸部５−２の間に形成された第２凹部６−２とを有する第２取付部材４−２とを備える。第１取付部材４−１と第２取付部材４−２とは、第１取付部材４−１が有する第１凸部５−１（１）と第２取付部材４−２が有する第２凹部６−２とがそれぞれ第１面と第２面との対向する位置になるように設けられる。【選択図】図１
2010135179.tif 000002
【特許請求の範囲】
【請求項１】
器具本体が１対の支持部材に取り付けられて取付面に固定される照明器具であり、
前記器具本体の所定の面側の外側に設けられ、支持部材に取り付けられる第１凸部を有する第１取付部材と、
前記器具本体の前記所定の面と対向する対向面側の外側に設けられ、支持部材に取り付けられる少なくとも２つの第２凸部と、前記２つの第２凸部の間に形成された第２凹部とを有する第２取付部材とを備え、
前記第１取付部材と前記第２取付部材とは、前記第１取付部材が有する第１凸部と前記第２取付部材が有する第２凹部とがそれぞれ前記所定の面と前記対向面との対向する位置になるように設けられた
ことを特徴とする照明器具。
【請求項２】
前記第２取付部材は、前記第１取付部材が有する第１凸部の幅と略同一幅の第２凹部を有する
ことを特徴とする請求項１に記載の照明器具。
【請求項３】
前記第１取付部材は、少なくとも２つの第１凸部と前記２つの第１凸部の間に形成された第１凹部とを有し、前記第２取付部材と同一形状であり、
前記第１取付部材と前記第２取付部材とは、前記第１取付部材が有する少なくともいずれかの第１凸部と前記第２取付部材が有する第２凹部とがそれぞれ前記所定の面と前記対向面との対向する位置になるとともに、前記第１取付部材が有する第１凹部と前記第２取付部材が有する少なくともいずれかの第２凸部とがそれぞれ前記所定の面と前記対向面との対向する位置になるように設けられた
ことを特徴とする請求項１又は２に記載の照明器具。
【請求項４】
前記第１取付部材は、前記所定の面の幅の半分以上の幅を有し、
前記第２取付部材は、前記対向面の幅の半分以上の幅を有する
ことを特徴とする請求項１から３までのいずれかに記載の照明器具。
【請求項５】
前記照明器具は、器具本体の両側が一対のＴバーに取り付けられて天井面に固定される照明器具であり、
前記第１取付部材は、第１凸部の先端部に備える爪を第１Ｔバーに掛けて前記第１Ｔバーに取り付けられ、
前記第２取付部材は、少なくとも２つの第２凸部の先端部に備える爪を第２Ｔバーに掛けて前記第２Ｔバーに取り付けられる
ことを特徴とする請求項１から４までのいずれかに記載の照明器具。
【請求項６】
請求項１から５までのいずれかに記載の照明器具を複数備える照明システムであり、
第１照明器具の第１取付部材と第２照明器具の第２取付部材とは、同一の支持部材に取り付けられるとともに、前記第１取付部材の第１凸部と前記第２取付部材の第２凹部とが嵌り合った状態で前記支持部材に取り付けられる
ことを特徴とする照明システム。
【請求項７】
前記照明システムは、器具本体の両側が一対のＴバーに取り付けられて天井面に固定される照明器具を複数備える照明システムであり、
第１照明器具の第１取付部材は、第１凸部の先端部に備える爪をＴバーに掛けて前記Ｔバーに取り付けられ、
第２照明器具の第２取付部材は、少なくとも２つの第２凸部の先端部に備える爪をＴバーに掛けて前記Ｔバーに取り付けられるとともに、前記２つの第２凸部の間に形成された第２凹部に前記第１照明器具の前記第１取付部材の前記第１凸部を挿入して、前記２つの第２凸部の間に形成された第２凹部と前記第１取付部材の前記第１凸部とが嵌り合った状態で前記Ｔバーに取り付けられる
ことを特徴とする請求項６に記載の照明システム。
【発明の詳細な説明】
【技術分野】
【０００１】
この発明は、例えば、グリッド天井やシステム天井等に取り付けられる照明器具の取り付け技術に関する。
【背景技術】
【０００２】
Ｔバー（グリッド天井やシステム天井等の天井枠）を挟み、隣り合う照明器具の金具同士が干渉せずに取り付け可能なＴバー取付金具を本体の対角に配した照明器具がある（特許文献１参照）。
【特許文献１】実開昭６３−３９８１８号公報
【発明の開示】
【発明が解決しようとする課題】
【０００３】
しかしながら、Ｔバー取付金具を本体の端部・対角に配置した前記照明器具は、取り付けた状態での安定性が不足している為、Ｔバーと、Ｔバー取付金具との接触部を軸にして、器具が傾いてしまう可能性がある。器具取付時の安定性を高める為、従来の方式では、金具とＴバーをねじで固定しなければならない。しかし、器具を取り付けるたびにねじを締めなければならないため、取付施工に手間がかかる。
この発明は、例えば、グリッド天井やシステム天井等のＴバーに隣り合う２つの照明器具を取付部材が干渉することなく取り付け可能とするとともに、ねじ止め固定等することなく容易に取り付け可能とすることを目的とする。
【課題を解決するための手段】
【０００４】
この発明に係る照明器具は、例えば、
器具本体が１対の支持部材に取り付けられて取付面に固定される照明器具であり、
前記器具本体の所定の面側の外側に設けられ、支持部材に取り付けられる第１凸部を有する第１取付部材と、
前記器具本体の前記所定の面と対向する対向面側の外側に設けられ、支持部材に取り付けられる少なくとも２つの第２凸部と、前記２つの第２凸部の間に形成された第２凹部とを有する第２取付部材とを備え、
前記第１取付部材と前記第２取付部材とは、前記第１取付部材が有する第１凸部と前記第２取付部材が有する第２凹部とがそれぞれ前記所定の面と前記対向面との対向する位置になるように設けられた
ことを特徴とする。
【発明の効果】
【０００５】
この発明に係る照明器具よれば、複数の照明器具を取付面に取り付けた場合、ある照明器具の第１取付部材の第１凸部と、その隣りに取り付けられた照明器具の第２取付部材の第２凹部とが嵌り合う。つまり、隣り合う照明器具の取付部材が干渉することなく、互いに支えあってずれ防止しながら取り付けられる。
【発明を実施するための最良の形態】
【０００６】
実施の形態１．
図１は、複数の照明器具２を備える照明システムを示す図である。
天井面（取付面）に、Ｔバー１（支持部材）が格子状に設置される。そして、器具本体の内部にランプ３（蛍光ランプ）を収納した複数の照明器具２が両端部をＴバー１に取り付けられて固定される。特に、複数の照明器具２が並んで配置される場合、１本のＴバー１の両側の照明器具２が取り付けられる。つまり、２つの照明器具２が１本のＴバー１を兼用して使用する。
このように、２つの照明器具２が１本のＴバー１を兼用して使用し固定される場合、２つの照明器具２が互いに干渉することなく取り付け可能であるとともに、容易に取り付け可能であることが望ましい。特に、Ｔバー１へ照明器具２をねじ止め固定等することなく安定して取り付けできることが望ましい。
【０００７】
図２は、この実施の形態に係る照明器具２を示す図である。
図３は、照明器具２が備える第１取付部材４−１を示す図である。
図２に示すように、照明器具２の器具本体は略直方体に形成され、底面９側に開口（光出口）が形成され、内部に収納されたランプの光が光出口から放射される。照明器具２の器具本体の第１面側の外側には第１取付部材４−１が設けられ、第１面と対向する第２面（対向面）側の外側には第２取付部材４−２が設けられる。
第１取付部材４−１は、２つの第１凸部５−１（第１凸部５−１（１）と第１凸部５−１（２））を備える。各第１凸部５−１は、Ｌ字型に形成され、それぞれ先端部に第１爪部７−１（第１爪部７−１（１）と第１爪部７−１（２））を備える。各第１爪部７−１は、第１凸部５−１の先端部を鋭角に折り曲げて形成される。また、第１凸部５−１（１）と第１凸部５−１（２）との間には、第１凹部６−１が形成される。第１凸部５−１（１）の幅Ｗ１は、第１凹部６−１の幅Ｗ２と略同一（Ｗ１≒Ｗ２）である。
ここで、第２取付部材４−２は、第１取付部材４−１と同一の形状である。つまり、一部図示されていないが、第２取付部材４−２は、Ｌ字型に形成された２つの第２凸部５−２（第２凸部５−２（１）と第２凸部５−２（２））を備え、各第２凸部５−２の先端部に第２爪部７−２（第２爪部７−２（１）と第２爪部７−２（２））を備える。また、第２凸部５−２（１）と第２凸部５−２（２）との間には、第２凹部６−２が形成される。
第１取付部材４−１と第２取付部材４−２とは、第１凸部５−１（１）と第２凹部６−２とがそれぞれ第１面と第２面との対向する位置になるように、また第１凹部６−１と第２凸部５−２（１）とがそれぞれ第１面と第２面との対向する位置になるように第１面と第２面とに設けられる。つまり、第１取付部材４−１は第１側面８−１側に寄せて（Ｗ３＞Ｗ４）設置され、第２取付部材４−２は第２側面８−２側に寄せて（Ｗ５＞Ｗ６）設置されることにより、第１凸部５−１（１）と第２凹部６−２とがそれぞれ第１面と第２面との対向する位置になり、第１凹部６−１と第２凸部５−２（１）とがそれぞれ第１面と第２面との対向する位置になる。特に、図２では、第１凸部５−１（１）側の余白幅Ｗ３と第２凸部５−２（１）側の余白幅Ｗ５とが等しくなるとともに、第１凸部５−１（２）側の余白幅Ｗ４と第２凸部５−２（２）側の余白幅Ｗ６とが等しくなる位置に第１取付部材４−１と第２取付部材４−２とが設置されている。つまり、第１取付部材４−１と第２取付部材４−２とは、第１面と第２面とにおいて、器具本体の上面１０の中心（重心）について点対称な位置に設置される。
また、第１取付部材４−１と第２取付部材４−２との幅Ｗ７は、照明器具２の器具本体における第１取付部材４−１と第２取付部材４−２とを取り付ける第１面と第２面との幅Ｗ８の半分以上である（Ｗ７≧０．５×Ｗ８）。
【０００８】
図４は、Ｔバー１と、２つの照明器具２（第１照明器具２−１と第２照明器具２−２）とを示す図である。なお、照明器具２については、一方側の面側のみ示す。つまり、第１照明器具２−１については第１面側のみ示し、第２照明器具２−２については第２面側のみ示す。また、第１照明器具２−１と第２照明器具２−２とは、いずれも図２と図３とに基づき説明した構成である。
図５は、２つの照明器具２がＴバー１に取り付けられた状態を示す図である。図５（ａ）は、上面１０側（図４のＡ方向）から見た図である。図５（ｂ）は、側面側（図４のＢ方向）から見た図である。図５（ｃ）は、図５（ｂ）の第１取付部材４−１、第２取付部材４−２、Ｔバー１部分のみを簡易的に示す図である。
Ｔバー１は、略Ｔ字型に形成される。Ｔバー１は、直方体状に形成された掛部１１と、掛部１１に比べ幅の広い（Ｗ１０＜Ｗ１１）直方体状に形成された支部１２と、掛部１１と支部１２とを繋ぐ薄板状の間部１３とを備える。また、支部１２の端部から掛部１１の逆側の端部までの幅Ｗ１２は、第１凸部５−１及び第２凸部５−２の幅Ｗ９と略同一である。
２つの照明器具２は、Ｔバー１に取り付けられる。第１照明器具２−１は、図４又は図５（ａ）のＣ側からＤ側へ跨るように第１取付部材４−１が有する各第１凸部５−１をＴバー１の掛部１１に乗せ、各第１凸部５−１の先端部の第１爪部７−１を掛部１１のＤ側の下面に掛ける（図５（ｂ）（ｃ）参照）。そして、各第１凸部５−１と各第１爪部７−１とが掛部１１を挟み込むことにより第１照明器具２−２はＴバー１に固定される。同様に、第２照明器具２−２は、図４又は図５（ａ）のＤ側からＣ側へ跨るように第２取付部材４−２が有する第２凸部５−２をＴバー１の掛部１１に乗せ、第２凸部５−２の先端部の第２爪部７−２を掛部１１のＣ側の下面に掛ける（図５（ｂ）（ｃ）参照）。そして、各第２凸部５−２と各第２爪部７−２とが掛部１１を挟み込むことにより第２照明器具２−２はＴバー１に固定される。
また、各凸部と各爪部とがＴバー１の掛部１１を挟み込むとともに、Ｔバー１の支部１２が照明器具２の器具本体の第１面又は第２面と当接することにより、各爪部が掛部１１から外れることを防止する。
【０００９】
ここで、図５（ａ）に示すように、第１照明器具２−１の第１取付部材４−１の第１凸部５−１（１）と第２照明器具２−２の第２取付部材４−２の第２凹部６−２とは嵌り合い、第１照明器具２−１の第１取付部材４−１の第１凹部６−１と第２照明器具２−２の第２取付部材４−２の第２凸部５−２（１）とは嵌り合って、Ｔバー１に取り付けされる。つまり、上記の通り、照明器具２（第１照明器具２−１、第２照明器具２−２）は、第１取付部材４−１と第２取付部材４−２とが、第１凸部５−１（１）と第２凹部６−２とがそれぞれ第１面と第２面との対向する位置になるように、また第１凹部６−１と第２凸部５−２（１）とがそれぞれ第１面と第２面との対向する位置になるように設けられている。そのため、隣り合う２つの照明器具２である第１照明器具２−１と第２照明器具２−２とにおいて、第１照明器具２−１の第１取付部材４−１の第１凸部５−１（１）と第２照明器具２−２の第２取付部材４−２の第２凹部６−２とは対向する位置になる。同様に、第１照明器具２−１の第１取付部材４−１の第１凹部６−１と第２照明器具２−２の第２取付部材４−２の第２凸部５−２（１）とは対向する位置になる。つまり、１つのＴバー１に隣り合う第１照明器具２−１と第２照明器具２−２とを取り付けると、対向する凸部と凹部とが嵌り合ってＴバー１に取り付けられることになる。したがって、１つのＴバー１に隣り合う第１照明器具２−１と第２照明器具２−２とを取り付ける場合に、２つの照明器具２が互いに干渉することなく取り付け可能である。また、第１凸部５−１（１）と第２凸部５−２（１）との幅Ｗ１は、第２凹部６−２と第１凹部６−１との幅Ｗ２と略同一である。そのため、２つの照明器具２の取付部材４が互いに嵌り合ってＴバー１に取り付けられると、２つの照明器具２が互いに支え合い、Ｔバー１に安定して固定される。
また、上記の通り、第１取付部材４−１と第２取付部材４−２との幅Ｗ７は、第１面と第２面との幅Ｗ８の半分以上である。特に、Ｔバー１に固定される部分の長さＷ７、つまり、第１取付部材４−１であれば、第１凸部５−１（１）の外側端部から第２凸部５−２（２）の外側端部までの長さＷ７が第１面の幅Ｗ８の半分以上である。そのため、１つのＴバー１に隣り合う２つの照明器具２を取り付けるのではなく、１つの照明器具２を単独で取り付ける場合であっても傾くことなく安定して取り付けすることができる。
【００１０】
また、上記の通り、Ｔバー１の掛部１１の幅Ｗ１０は、支部１２の幅Ｗ１１よりも狭い。さらに、支部１２の端部から掛部１１の逆側の端部までの幅Ｗ１２は、第１凸部５−１と第２凸部５−２との幅Ｗ９と略同一である。そのため、図５（ａ）（ｂ）に示すように、Ｔバー１の掛部１１と第１凹部６−１との間には若干のスペース（Ｗ１１−Ｗ１２）がある。同様に、Ｔバー１の掛部１１と第２凹部６−２との間との間には若干のスペース（Ｗ１１−Ｗ１２）がある。このスペース（Ｗ１１−Ｗ１２）は、図５（ｃ）に示す各爪部７（第１爪部７−１（１）、第１爪部７−１（２）、第２爪部７−２（１）、第２爪部７−２（２））の幅Ｗ１３よりも広い。したがって、１つのＴバー１に２つの照明器具２を取り付ける場合に、一方の照明器具２をＴバー１に取り付けた後に、他方の照明器具２をＴバー１に取り付けることができる。
【００１１】
以上のように、この実施の形態に係る照明器具２によれば、１つのＴバー１に２つの照明器具２を取り付ける場合に、２つの照明器具２が互いに干渉することなく取り付けすることができる。また、この実施の形態に係る照明器具２によれば、照明器具２をＴバー１にねじ止め固定することなく、照明器具２をＴバー１に安定して固定することができる。
【００１２】
実施の形態２．
実施の形態１では、照明器具２の器具本体に設けられる２つの取付部材４（第１取付部材４−１と第２取付部材４−２）は、同一形状であるとした。この実施の形態では、照明器具２の器具本体に設けられる２つの取付部材４が異なる形状である例を説明する。
【００１３】
図６は、この実施の形態に係る第１取付部材４−１と第２取付部材４−２とを示す図である。図６（ａ）は、第１取付部材４−１を示す図である。図６（ｂ）は、第２取付部材４−２を示す図である。
図６（ａ）に示すように、第１取付部材４−１は１つの凸部（第１凸部５−１）を備えている。また、第１取付部材４−１は、第１凸部５−１の両側に第１凹部６−１を備える。なお、実施の形態１と同様に、第１凸部５−１の先端部には第１爪部７−１を備える。
図６（ｂ）に示すように、第２取付部材４−２は２つの凸部（第２凸部５−２（１）と第２凸部５−２（２））を備えている。また、第２取付部材４−２は、第２凸部５−２（１）と第２凸部５−２（２）との間に第２凹部６−２を備える。なお、実施の形態１と同様に、第２凸部５−２（１）と第２凸部５−２（２）との先端部には第２爪部７−２（１）と第２爪部７−２（２）とを備える。
第１取付部材４−１と第２取付部材４−２とは、第１凸部５−１と第２凹部６−２とがそれぞれ第１面と第２面との対向する位置になるように、また第１凹部６−１（１）及び第１凹部６−１（２）と第２凸部５−２（２）及び第２凸部５−２（１）とがそれぞれ第１面と第２面との対向する位置になるように第１面と第２面とに設けられる。
ここで、第１凸部５−１の幅Ｗ１４は、第１凹部６−１の幅Ｗ１５と略同一である。
【００１４】
図７は、２つの照明器具２がＴバー１に取り付けられた状態を示す図である。なお、図７は、上面１０側から見た図である。側面側（図４のＢ方向）から見た場合には図５（ｂ）と同様になる。
２つの照明器具２は、実施の形態１と同様にＴバー１に取り付けられる。つまり、第１照明器具２−１は、図７のＣ側からＤ側へ跨るように第１取付部材４−１が有する第１凸部５−１をＴバー１の掛部１１に乗せ、第１凸部５−１の先端部の第１爪部７−１を掛部１１のＤ側の下面に掛ける（図５（ｂ）（ｃ）参照）。そして、第１凸部５−１と第１爪部７−１とが掛部１１を挟み込むことにより第１照明器具２−２はＴバー１に固定される。同様に、第２照明器具２−２は、図７のＤ側からＣ側へ跨るように第２取付部材４−２が有する第２凸部５−２をＴバー１の掛部１１に乗せ、第２凸部５−２の先端部の第２爪部７−２を掛部１１のＣ側の下面に掛ける（図５（ｂ）（ｃ）参照）。そして、各第２凸部５−２と各第２爪部７−２とが掛部１１を挟み込むことにより第２照明器具２−２はＴバー１に固定される。
【００１５】
ここで、実施の形態１と同様、図７に示すように、第１照明器具２−１の第１取付部材４−１の第１凸部５−１と第２照明器具２−２の第２取付部材４−２の第２凹部６−２とは嵌り合い、第１照明器具２−１の第１取付部材４−１の第１凹部６−１（１）及び第１凹部６−１（２）と第２照明器具２−２の第２取付部材４−２の第２凸部５−２（２）及び第２凸部５−２（１）とは嵌り合って、Ｔバー１に取り付される。したがって、実施の形態１と同様に、１つのＴバー１に隣り合う第１照明器具２−１と第２照明器具２−２とを取り付ける場合に、２つの照明器具２が互いに干渉することなく取り付け可能である。２つの照明器具２が互いに支え合い、Ｔバー１にねじ止めしなくても安定して固定される。
実施の形態１と同様に、第１取付部材４−１の幅Ｗ１６と第２取付部材４−２の幅Ｗ１７とは、第１面と第２面との幅Ｗ１８の半分以上である。そのため、１つのＴバー１に隣り合う第１照明器具２−１と第２照明器具２−２とを取り付けるのではなく、１つの照明器具２を単独で取り付ける場合であっても傾くことなく安定して取り付けすることができる。
【００１６】
以上のように、この実施の形態に係る照明器具２によれば、第１取付部材４−１と第２取付部材４−２とを異なる形態とした場合であっても、実施の形態１と同様の効果を得ることができる。
【００１７】
なお、第１取付部材４−１と第２取付部材４−２とは、上記説明の形状に限定されるものではない。例えば、凸部と凹部の数を増やしてもよい。
【図面の簡単な説明】
【００１８】
【図１】複数の照明器具２を備える照明システムを示す図。
【図２】実施の形態１に係る照明器具２を示す図。
【図３】照明器具２が備える第１取付部材４−１を示す図。
【図４】Ｔバー１と２つの照明器具２とを示す図。
【図５】実施の形態１に係る２つの照明器具２がＴバー１に取り付けられた状態を示す図。
【図６】実施の形態２に係る第１取付部材４−１と第２取付部材４−２とを示す図。
【図７】実施の形態２に係る２つの照明器具２がＴバー１に取り付けられた状態を示す図。
【符号の説明】
【００１９】
１  Ｔバー、２  照明器具、３  ランプ、４−１  第１取付部材、４−２  第２取付部材、５−１  第１凸部、５−２  第２凸部、６−１  第１凹部、６−２  第２凹部、７−１  第１爪部、７−２  第２爪部、８−１  第１側面、８−２  第２側面、９  底面、１０  上面、１１  掛部、１２  支部、１３  間部。
【図１】
2010135179.tif 000003
【図２】
2010135179.tif 000004
【図３】
2010135179.tif 000005
【図４】
2010135179.tif 000006
【図５】
2010135179.tif 000007
【図６】
2010135179.tif 000008
【図７】
2010135179.tif 000009